(57)【要約】  【課題】  小型化が可能であるととともに、ＩＣチップの読み取りに要する時間を短縮して操作性を向上させた帳票読取装置を提供する。  【解決手段】  帳票が有する情報を読み取る帳票読取装置１は、電波の届く範囲が帳票の大きさよりも小さいアンテナ２１を有し、帳票に実装されたＩＣチップを検出するためのＩＣチップ検出処理、及びＩＣチップのデータを読み取るためのＩＣチップ読取処理を行うためのＩＣ通信部２０と、ＩＣ通信部２０がＩＣチップを検出したことを報知するための報知部７０と、ＩＣ通信部２０がＩＣチップ検出処理にてＩＣチップを検出したときに、報知部７０にＩＣチップを検出したことを報知させるとともに、ＩＣ通信部２０にＩＣチップ読取処理を行わせる制御部４０とを備えている。【選択図】  図１
2012104016.tif 000002
【特許請求の範囲】
【請求項１】
帳票が有する情報を読み取る帳票読取装置であって、
帳票の大きさよりも小さいアンテナを有し、帳票に実装されたＩＣチップを検出するためのＩＣチップ検出処理、及びＩＣチップのデータを読み取るためのＩＣチップ読取処理を行うためのＩＣ通信部と、
前記ＩＣ通信部がＩＣチップを検出したことを報知するための報知部と、
前記ＩＣ通信部が前記ＩＣチップ検出処理にてＩＣチップを検出したときに、前記報知部にＩＣチップを検出したことを報知させるとともに、前記ＩＣ通信部に前記ＩＣチップ読取処理を行わせる制御部と、
を備えたことを特徴とする帳票読取装置。
【請求項２】
前記制御部は、前記ＩＣ通信部が前記ＩＣチップ検出処理にてＩＣチップを検出しなかったときは、前記ＩＣ通信部に前記ＩＣチップ読取処理を行わせないことを特徴とする請求項１に記載の帳票読取装置。
【請求項３】
前記報知部は、更に、前記ＩＣチップ検出処理を実行中であること及び前記ＩＣチップ読取処理を実行中であることを報知可能であり、
前記制御部は、前記ＩＣ通信部が前記ＩＣチップ検出処理を行っているときに、前記報知部に、前記ＩＣチップ検出処理を実行中であることを報知させること、及び前記ＩＣ通信部が前記ＩＣチップ読取処理を行っているときに前記報知部に前記ＩＣチップ読取処理を実行中であることを報知させることのうち少なくとも一つを行うことを特徴とする請求項１又は２に記載の帳票読取装置。
【請求項４】
前記報知部は、更に、前記帳票読取装置を帳票に対して移動させる可否を報知可能であり、
前記制御部は、前記ＩＣ通信部が前記ＩＣチップ検出処理を行っているときに、前記報知部に、前記帳票読取装置を帳票に対して移動させてよいことを報知させること、及び前記ＩＣ通信部が前記ＩＣチップ読取処理を行っているときに、前記報知部に、前記帳票読取装置を帳票に対して移動させてはならないことを報知させることのうち少なくとも一つを行うことを特徴とする請求項１ないし３のいずれかに記載の帳票読取装置。
【請求項５】
前記報知部として、表示パネルを有する表示部を備え、前記表示パネルによる表示によって前記の各報知を行なうことを特徴とする請求項１ないし４のいずれかに記載の帳票読取装置。
【請求項６】
前記報知部として、音発生部を備え、前記音発生部からの音出力によって前記の各報知を行なうことを特徴と数請求項１ないし４のいずれかに記載の帳票読取装置。
【請求項７】
帳票を撮影して画像データを取得するための光学読取部と、
帳票の読取処理を開始するよう指示するための開始キーと、
を更に備え、
前記制御部は、前記開始キーにて読取処理の開始が指示されたのに応じて、前記光学読取部に、帳票の画像データを生成させるとともに、前記ＩＣ通信部に前記ＩＣチップ検出処理を行わせることを特徴とする請求項１ないし６のいずれかに記載の帳票読取装置。
【請求項８】
帳票を撮影して画像データを取得するための光学読取部と、
帳票の読取処理を開始するよう指示するための開始キーと、
を更に備え、
前記制御部は、前記開始キーにて読取処理の開始が指示されたのに応じて、前記ＩＣ通信部に前記ＩＣチップ検出処理を第１のＩＣチップ検出処理として行わせ、前記ＩＣ通信部が前記第１のＩＣチップ検出処理にてＩＣチップを検出した場合には、その後の処理で、前記ＩＣ通信部に前記ＩＣチップ検出処理を第２のＩＣチップ検出処理として行わせ、前記ＩＣ通信部が前記第２のＩＣチップ検出処理にてＩＣチップを検出したときに、前記報知部にＩＣチップを検出したことを報知させるとともに、前記ＩＣ通信部に前記ＩＣチップ読取処理を行わせることを特徴とする請求項１ないし６のいずれかに記載の帳票読取装置。
【請求項９】
前記帳票は旅券、査証、または身分証であり、前記アンテナの大きさは、開いた状態の旅券の大きさよりも小さいことを特徴とする請求項１ないし８のいずれかに記載の帳票読取装置。
【請求項１０】
帳票が有する情報を読み取る帳票読取方法であって、
帳票に実装されたＩＣチップを検出するためのＩＣチップ検出処理を実行するステップと、
前記ＩＣチップ検出処理を実行しているときに、前記ＩＣチップ検出処理を実行していることを報知するステップと、
前記ＩＣチップ検出処理にてＩＣチップを検出した場合に、ＩＣチップのデータを読み取るためのＩＣチップ読取処理を実行するステップと、
前記ＩＣチップ読取処理を実行しているときに、前記ＩＣチップ読取処理を実行していることを報知するステップと、
を含むことを特徴とする帳票読取方法。
【請求項１１】
帳票が有する情報を読み取る帳票読取方法であって、
帳票に実装されたＩＣチップを検出するための第１のＩＣチップ検出処理を実行するステップと、
前記第１のＩＣチップ検出処理にてＩＣチップを検出した場合に、ＩＣチップを検出するための第２のＩＣチップ検出処理を実行するステップと、
前記第２のＩＣチップ検出処理を実行しているときに、前記第２のＩＣチップ検出処理を実行していることを報知するステップと、
前記第２のＩＣチップ検出処理にてＩＣチップを検出した場合に、ＩＣチップのデータを読み取るためのＩＣチップ読取処理を実行するステップと、
前記ＩＣチップ読取処理を実行しているときに、前記ＩＣチップ読取処理を実行していることを報知するステップと、
を含むことを特徴とする帳票読取方法。
【請求項１２】
帳票読取装置を用いて旅券の審査を行なう帳票審査方法であって、
前記帳票読取装置は、旅券が有する情報を読み取る帳票読取装置であって、
旅券の読取処理を開始するよう指示するための開始キーと、
開いた状態の旅券の大きさよりも小さいアンテナをＩＣチップ読取部に有し、旅券に実装されたＩＣチップを検出するためのＩＣチップ検出処理、及びＩＣチップのデータを読み取るためのＩＣチップ読取処理を行うためのＩＣ通信部と、
前記ＩＣ通信部がＩＣチップを検出したことを報知するための報知部と、
前記開始キーにて読取処理の開始が指示されたのに応じて、前記ＩＣ通信部に前記ＩＣチップ検出処理を行わせ、前記ＩＣ通信部が前記ＩＣチップ検出処理にてＩＣチップを検出したときに、前記報知部に前記ＩＣチップを検出したことを報知させるとともに、前記ＩＣ通信部に前記ＩＣチップ読取処理を行わせる制御部と、
を備え、
前記帳票審査方法は、
前記開始キーを操作して読取処理の開始を指示するステップと、
前記帳票読取装置にて前記ＩＣチップ検出処理が実行されているときに、前記帳票読取装置の前記ＩＣチップ読取部で、開いた状態の旅券を走査するステップと、
前記報知部によりＩＣチップが検知されたことが報知されて、前記帳票読取装置にて前記ＩＣチップ読取処理が実行されているときに、前記帳票読取装置の前記ＩＣチップ読取部を旅券に対して動かないように保持することを促すステップと、
を含むことを特徴とする帳票審査方法。
【請求項１３】
帳票読取装置を用いて旅券の審査を行なう帳票審査方法であって、
前記帳票読取装置は、旅券が有する情報を読み取る帳票読取装置であって、
旅券の読取処理を開始するよう指示するための開始キーと、
開いた状態の旅券の大きさよりも小さいアンテナをＩＣチップ読取部に有し、旅券に実装されたＩＣチップを検出するための第１及び第２のＩＣチップ検出処理、及びＩＣチップのデータを読み取るためのＩＣチップ読取処理を行うためのＩＣ通信部と、
前記ＩＣ通信部がＩＣチップを検出したことを報知するための報知部と、
前記開始キーにて読取処理の開始が指示されたのに応じて、前記ＩＣ通信部に前記第１のＩＣチップ検出処理を行わせ、前記第１のチップ検出処理にてＩＣチップを検出した場合に、前記ＩＣ通信部に前記第２のＩＣチップ検出処理を行わせ、前記ＩＣ通信部が前記第２のＩＣチップ検出処理にてＩＣチップを検出したときに、前記報知部に前記ＩＣチップを検出したことを報知させるとともに、前記ＩＣ通信部に前記ＩＣチップ読取処理を行わせる制御部と、
を備え、
前記帳票審査方法は、
前記開始キーを操作して読取処理の開始を指示するステップと、
前記帳票読取装置にて前記第１のＩＣチップ検出処理が実行されているときに、前記帳票読取装置の前記ＩＣチップ読取部を、閉じた状態の旅券に接触させ、又は近接させるステップと、
前記第１のＩＣチップ検出処理にてＩＣチップが検出されて、前記帳票読取装置にて前記第２のＩＣチップ検出処理が実行されているときに、前記帳票読取装置の前記ＩＣチップ読取部で、開いた状態の旅券を走査するステップと、
前記報知部により前記第２のＩＣチップ検出処理にてＩＣチップが検知されたことが報知されて、前記帳票読取装置にて前記ＩＣチップ読取処理が実行されているときに、前記帳票読取装置の前記ＩＣチップ読取部を旅券に対して動かないように保持することを促すステップと、
を含むことを特徴とする帳票審査方法。
【発明の詳細な説明】
【技術分野】
【０００１】
本発明は、帳票の読取り機能を備えた帳票読取装置及びその帳票読取装置にて行なう帳票読取方法、並びにその帳票読取装置を用いた帳票審査方法に関し、特に、持ち運びに適した小型の帳票読取装置及びその帳票読取装置にて行なう帳票読取方法、並びにその帳票読取装置を用いた帳票審査方法に関するものである。
【背景技術】
【０００２】
従来、旅券などの帳票を読み取る帳票読取装置が知られており、入出国審査などで用いられている（例えば特許文献１参照）。従来の帳票読取装置は、旅券に設けられた読取り領域を光学的に読み取って、読取り結果を画面に表示する機能を備えている。
【０００３】
近年、ＩＣチップを実装した旅券が使用されるようになり、それに伴って、帳票読取装置は、ＩＣチップに記録されたデータを読み取る機能を備えるものが使用されるようになってきた。このＩＣチップのデータを読み取るためには、光学的な読取り結果を用いてＩＣチップの内容を読み出す場合も想定される。そこで、従来の帳票読取装置では、まず、旅券の読取領域を光学的に読み取り、その後に、その旅券がＩＣチップを実装しているか否かの判定が行われる。そして、ＩＣチップを実装した旅券であった場合には、先の読取結果を用いてＩＣチップのデータの読取りが行われる。
【０００４】
しかしながら、世界には、まだＩＣチップを実装した旅券への切り換えが行われていない国（まだＩＣチップを実装していない旅券を使用している国）も少なからず存在している。したがって、入出国者が所持する旅券は、ＩＣチップを実装した旅券とＩＣチップを実装していない旅券が混在しているのが実情である。ところが、従来の帳票読取装置では、ＩＣチップを実装した旅券とＩＣチップを実装していない旅券が混在している状況について十分に考慮がなされていないという問題があった。
【０００５】
ＩＣチップを実装していない旅券であれば、読取領域を光学的に読み取るだけでよく、この光学的な読取処理は比較的短い時間で完了する。一方、ＩＣチップを実装した旅券の場合には、読取領域の読取り後に、ＩＣチップのデータの読取りが行われる。このＩＣチップの読取処理には比較的長い時間を要し、その処理が完了するまでの間、作業者は旅券を読取り面上に保持しておく必要がある。
【０００６】
しかし、ＩＣチップを実装した旅券とＩＣチップを実装していない旅券が混在している場合には、ＩＣチップを実装した旅券であるにもかかわらず（旅券を読取り面上にしばらく保持しておく必要があるにもかかわらず）、ＩＣチップを実装していない旅券であると思って作業者が旅券を読取り面上から離してしまい、ＩＣチップの読取りに失敗することがあった。そして、そのような場合には、もう一度、旅券の読取りを最初から行わなければならないという問題あった。
【０００７】
あるいは、ＩＣチップを実装していない旅券であるにもかかわらず（読取処理は短い時間で完了しているにもかかわらず）、ＩＣチップを実装した旅券であるか否かが作業者には不明であるため、旅券を読取り面上にしばらく保持しておくこととなり、作業効率が低い（作業時間が長い）という問題があった。
【０００８】
そこで、従来の帳票読取装置では、読取領域の読取りが行われる前に、ＩＣチップが実装されているか否かを判定し、その判定結果を表示していた（例えば特許文献２参照）。これにより、ＩＣチップを実装した帳票の場合には、そのことを事前の表示（ＩＣチップ有の表示）によって予め知ることができるので、ＩＣチップのデータの読取りに十分な時間が経過するまで帳票を読取面上に保持するようになり、ＩＣチップを実装していない帳票であると思って帳票を読取面上から離してしまう（ＩＣチップの読取りに失敗する）のを防ぐことができる。また、ＩＣチップを実装していない帳票の場合には、そのことを事前の表示（ＩＣチップ無の表示）によって予め知ることができるので、帳票の光学的な読取りが完了したら、すぐに次の作業に取り掛かることができる。すなわち、帳票を読取面上にしばらく保持するようなことがなくなり、作業効率が高くなる（作業時間が短くなる）。
【先行技術文献】
【特許文献】
【０００９】
【特許文献１】特開２００６−１４６３２８号公報
【特許文献２】特許第４３０９９６０号公報
【発明の概要】
【発明が解決しようとする課題】
【００１０】
しかしながら、帳票の面積が広い場合には、ＩＣチップが帳票のどの部分に実装されているか判らない場合がある。例えば、旅券にＩＣチップが実装されている場合にも、実装する箇所は各国の旅券ごとに異なっているため、旅券を開いた状態で、何れの側のページにＩＣチップが実装されているか判らない。このため、特許文献２の図１に示すように、旅券にＩＣチップが実装されているか否かは、開いた状態の旅券の全面をカバーする電波範囲を有する大型のアンテナを用いて確認していた。
【００１１】
空港の入出国審査所で用いられるような据え置き型の帳票読取装置の場合には、アンテナがある程度大型のものであっても問題はない。しかし、例えば、列車、バス、船等で越境する場合の入出国審査においては、持ち運びに適した小型の帳票読取装置が求められる。従来の帳票読取装置では、アンテナが大型であるため、外形寸法が大型化してしまい、持ち運び用途の運用には不適切であった。
【００１２】
持ち運びに適した小型の帳票読取装置を実現するために、電波範囲が、開いた状態の旅券の全面をカバーしない小型のアンテナを採用すると、次のような問題が生じる。即ち、この場合には、審査官は、まず旅券を開いてその内容を光学的に読み取って、その読取結果からＩＣチップが実装されていることが判ると、（１）旅券を閉じてＩＣチップの読取りを行なうか、（２）旅券の一方のページ及び他方のページについて順にＩＣチップの読取りを試み、最後に目視により、ＩＣチップから読み取った内容と、旅券に印字された内容と、本人とを照合することになる。上記の（１）の場合には、ＩＣチップが実装されていない箇所でＩＣチップの読取りを試みることはなくなるものの、旅券を開き（光学読取り）、閉じ（ＩＣチップ読取り）、再度開く（目視確認）という動作が煩雑である。また、上記の（２）の場合には、開いた状態の旅券の何れの側にＩＣチップが実装されているか不明であるため、最初にＩＣチップの読取りを試みた側に、実際にはＩＣチップが実装されていなかった場合には、ＩＣチップの読み取りには時として数十秒の時間を要するものもあるため、そのようなＩＣチップが実装されていない側について行なったＩＣチップ読取りを試みた時間が無駄になり、スムーズな入出国審査の妨げとなる。
【００１３】
本発明は、上記課題を解決するためになされたものであり、小型化が可能であるとともに、ＩＣチップの読み取りに要する時間を短縮して操作性を向上させた帳票読取装置及びそれを用いた帳票審査方法を提供することを目的とする。
【課題を解決するための手段】
【００１４】
上記従来の課題を解決するために、本発明の一態様は、帳票が有する情報を読み取る帳票読取装置であって、この帳票読取装置は、帳票の大きさよりも小さいアンテナを有し、帳票に実装されたＩＣチップを検出するためのＩＣチップ検出処理、及びＩＣチップのデータを読み取るためのＩＣチップ読取処理を行うためのＩＣ通信部と、ＩＣ通信部がＩＣチップを検出したことを報知するための報知部と、ＩＣ通信部がＩＣチップ検出処理にてＩＣチップを検出したときに、報知部にＩＣチップを検出したことを報知させるとともに、ＩＣ通信部にＩＣチップ読取処理を行わせる制御部とを備えた構成を有している。
【００１５】
本発明の別の態様は、帳票が有する情報を読み取る帳票読取方法であって、この帳票読取方法は、帳票に実装されたＩＣチップを検出するためのＩＣチップ検出処理を実行するステップと、ＩＣチップ検出処理を実行しているときに、ＩＣチップ検出処理を実行していることを報知するステップと、ＩＣチップ検出処理にてＩＣチップを検出した場合に、ＩＣチップのデータを読み取るためのＩＣチップ読取処理を実行するステップと、ＩＣチップ読取処理を実行しているときに、ＩＣチップ読取処理を実行していることを報知するステップとを含む構成を有する。
【００１６】
本発明の別の態様は、帳票が有する情報を読み取る帳票読取方法であって、帳票に実装されたＩＣチップを検出するための第１のＩＣチップ検出処理を実行するステップと、第１のＩＣチップ検出処理にてＩＣチップを検出した場合に、ＩＣチップを検出するための第２のＩＣチップ検出処理を実行するステップと、第２のＩＣチップ検出処理を実行しているときに、第２のＩＣチップ検出処理を実行していることを報知するステップと、第２のＩＣチップ検出処理にてＩＣチップを検出した場合に、ＩＣチップのデータを読み取るためのＩＣチップ読取処理を実行するステップと、ＩＣチップ読取処理を実行しているときに、ＩＣチップ読取処理を実行していることを報知するステップとを含む構成を有している。
【００１７】
本発明の別の態様は、帳票読取装置を用いて旅券の審査を行なう帳票審査方法であって、この帳票読取装置は、旅券が有する情報を読み取る帳票読取装置であって、旅券の読取処理を開始するよう指示するための開始キーと、開いた状態の旅券の大きさよりも小さいアンテナをＩＣチップ読取部に有し、旅券に実装されたＩＣチップを検出するためのＩＣチップ検出処理、及びＩＣチップのデータを読み取るためのＩＣチップ読取処理を行うためのＩＣ通信部と、ＩＣ通信部がＩＣチップを検出したことを報知するための報知部と、開始キーにて読取処理の開始が指示されたのに応じて、ＩＣ通信部にＩＣチップ検出処理を行わせ、ＩＣ通信部がＩＣチップ検出処理にてＩＣチップを検出したときに、報知部にＩＣチップを検出したことを報知させるとともに、ＩＣ通信部にＩＣチップ読取処理を行わせる制御部とを備え、この帳票審査方法は、開始キーを操作して読取処理の開始を指示するステップと、帳票読取装置にてＩＣチップ検出処理が実行されているときに、帳票読取装置のＩＣチップ読取部で、開いた状態の旅券を走査するステップと、報知部によりＩＣチップが検知されたことが報知されて、帳票読取装置にてＩＣチップ読取処理が実行されているときに、帳票読取装置のＩＣチップ読取部を旅券に対して動かないように保持することを促すステップとを含む構成を有している。
【００１８】
本発明の別の態様は、帳票読取装置を用いて旅券の審査を行なう帳票審査方法であって、この帳票読取装置は、旅券が有する情報を読み取る帳票読取装置であって、旅券の読取処理を開始するよう指示するための開始キーと、電波の届く範囲が開いた状態の旅券の大きさよりも小さいアンテナをＩＣチップ読取部に有し、旅券に実装されたＩＣチップを検出するための第１及び第２のＩＣチップ検出処理、及びＩＣチップのデータを読み取るためのＩＣチップ読取処理を行うためのＩＣ通信部と、ＩＣ通信部がＩＣチップを検出したことを報知するための報知部と、開始キーにて読取処理の開始が指示されたのに応じて、ＩＣ通信部に第１のＩＣチップ検出処理を行わせ、第１のチップ検出処理にてＩＣチップを検出した場合に、ＩＣ通信部に第２のＩＣチップ検出処理を行わせ、ＩＣ通信部が第２のＩＣチップ検出処理にてＩＣチップを検出したときに、報知部にＩＣチップを検出したことを報知させるとともに、ＩＣ通信部にＩＣチップ読取処理を行わせる制御部と備え、この帳票審査方法は、開始キーを操作して読取処理の開始を指示するステップと、帳票読取装置にて第１のＩＣチップ検出処理が実行されているときに、帳票読取装置のＩＣチップ読取部を、閉じた状態の旅券に接触させ、又は近接させるステップと、第１のＩＣチップ検出処理にてＩＣチップが検出されて、帳票読取装置にて第２のＩＣチップ検出処理が実行されているときに、帳票読取装置のＩＣチップ読取部で、開いた状態の旅券を走査するステップと、報知部により第２のＩＣチップ検出処理にてＩＣチップが検知されたことが報知されて、帳票読取装置にてＩＣチップ読取処理が実行されているときに、帳票読取装置のＩＣチップ読取部を旅券に対して動かないように保持することを促すステップとを含む構成を有している。
【発明の効果】
【００１９】
本発明は、帳票読取装置をハンディ型まで小型化できるとともに、帳票の読取り又は審査を短時間で行なうことができる。
【００２０】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００２１】
【図１】図１は、本発明の第１の実施の形態における帳票読取装置の構成図
【図２Ａ】図２Ａは、本発明の第１の実施の形態における帳票読取装置の操作表示面側から見た外観図
【図２Ｂ】図２Ｂは、本発明の第１の実施の形態の帳票読取装置の読取面側から見た外観図
【図３】図３は、本発明の第１の実施の形態のＩＣチップと帳票読取装置の相対位置を示す図
【図４】図４は、本発明の第１の実施の形態の帳票審査方法のフロー図
【図５】図５は、本発明の第２の実施の形態の帳票審査方法のフロー図
【発明を実施するための形態】
【００２２】
以下に、本発明の詳細な説明を述べる。以下に説明する実施の形態は本発明の単なる例であり、本発明は様々な態様に変形することができる。従って、以下に開示する特定の構成及び機能は、特許請求の範囲を限定するものではない。
【００２３】
本発明の実施の形態の帳票読取装置は、帳票が有する情報を読み取る帳票読取装置であって、電波の届く範囲が帳票の大きさよりも小さいアンテナを有し、帳票に実装されたＩＣチップを検出するためのＩＣチップ検出処理、及びＩＣチップのデータを読み取るためのＩＣチップ読取処理を行うためのＩＣ通信部と、ＩＣ通信部がＩＣチップを検出したことを報知するための報知部と、ＩＣ通信部がＩＣチップ検出処理にてＩＣチップを検出したときに、報知部にＩＣチップを検出したことを報知させるとともに、ＩＣ通信部にＩＣチップ読取処理を行わせる制御部とを備えた構成を有する。アンテナからの電波はあまり強いと複数のＩＣチップが反応してしまい、どの帳票のＩＣチップからの反応かが不明となってしまう可能性もある。また不要な輻射を抑えるため、アンテナからの電波にＩＣチップが反応する範囲はアンテナの大きさとほぼ等しい範囲とすることが好ましい。以下に示す例では電波の届く範囲はアンテナの面性とほぼ同等であるものを示す。
【００２４】
この構成により、小型のアンテナを採用するので、帳票読取装置を小型化できる。また、小型の帳票読取装置を用いて帳票を走査して、報知を受けてＩＣチップの実装箇所が判った後に、その実装箇所でＩＣチップのデータの読取りを行なえるので、比較的長い時間が必要とされるＩＣチップのデータの読取りを試みるためにＩＣチップが実装されていない位置で帳票読取装置を固定しておくことがなく、帳票の読取り又は審査を短時間で行なうことができる。なお、報知は、表示によるものであってもよいし、音（音声を含む）によるものであってもよいし、振動によるものであってもよい。また、ＩＣチップ検出処理が実行中であることを報知し、かつＩＣチップ検出処理にてＩＣチップが検出されてＩＣチップ読取処理を開始したときに、ＩＣチップ読取処理が実行中であることを報知すること、即ち、ＩＣチップ検出処理の実行中とＩＣチップ読取処理の実行中とで報知の内容を変更することも、上記の「ＩＣ通信部がＩＣチップを検出したことを報知する」ことに該当する。
【００２５】
上記の帳票読取装置において、制御部は、ＩＣ通信部がＩＣチップ検出処理にてＩＣチップを検出しなかったときは、ＩＣ通信部にＩＣチップ読取処理を行わせない。
【００２６】
この構成により、ＩＣチップが実装されているか否かが判らない帳票を審査する場合において、比較的長い時間が必要とされるＩＣチップのデータの読取りを試みるためにＩＣチップが実装されていない帳票に対して帳票読取装置を固定しておくことがなく、帳票の読取り又は審査を短時間で行なうことができる。
【００２７】
上記の帳票読取装置において、報知部は、更に、ＩＣチップ検出処理を実行中であること及びＩＣチップ読取処理を実行中であることを報知可能であり、制御部は、ＩＣ通信部がＩＣチップ検出処理を行っているときに、報知部に、ＩＣチップ検出処理を実行中であることを報知させ、ＩＣ通信部がＩＣチップ読取処理を行っているときに、報知部に、ＩＣチップ読取処理を実行中であることを報知させる。
【００２８】
この構成により、ＩＣチップ検出処理が実行中であるという報知からＩＣチップ読取処理が実行中であるという報知に切り替えることで、ＩＣ通信部がＩＣチップを検出したことを報知できる。また、単にＩＣチップ検出処理からＩＣチップ読取処理に移行した時にのみ報知する場合において、その報知を見逃したり、聞き逃したりしたりすると、現在進行中の処理がＩＣチップ検出処理であって、帳票読取装置で帳票を走査すべきであるか、現在進行中の処理がＩＣチップ読取装置であって、帳票読取装置を帳票に対して固定すべきであるかが判らなくなることがあるが、上記の構成によればこのような不都合を防止できる。
【００２９】
本発明の実施の形態の帳票読取装置は、報知部は、更に、帳票読取装置を帳票に対して移動させてよいこと及び帳票読取装置を帳票に対して移動させてはならないことを報知可能であり、制御部は、ＩＣ通信部がＩＣチップ検出処理を行っているときに、報知部に、帳票読取装置を帳票に対して移動させてよいことを報知させ、ＩＣ通信部がＩＣチップ読取処理を行っているときに、報知部に、帳票読取装置を帳票に対して移動させてはならないことを報知させる。
【００３０】
この構成により、帳票読取装置を帳票に対して移動させてよいという報知から帳票読取装置を帳票に対して移動させてはならないという報知に切り替えることで、ＩＣ通信部がＩＣチップを検出したことを報知できる。また、単にＩＣチップ検出処理からＩＣチップ読取処理に移行した時にのみ報知する場合において、その報知を見逃したり、聞き逃したりしたりすると、帳票読取装置で帳票を走査すべきであるか、帳票読取装置を帳票に対して固定すべきであるかが判らなくなることがあるが、上記の構成によればこのような不都合を防止できる。さらに、帳票読取装置の利用者は、帳票読取装置がＩＣチップ検出処理を行っているのか、ＩＣチップ読取処理を行っているのかを意識することなく、帳票読取装置を扱うことができる。
【００３１】
上記の帳票読取装置において、報知部として、表示パネルを有する表示部を備え、表示パネルによる表示によっての各報知を行なう。
【００３２】
この構成により、帳票読取装置の利用者は、ＩＣチップが検出されたことを表示パネルによる表示で知ることができる。
【００３３】
上記の帳票読取装置において、報知部として、音発生部であるスピーカを備え、スピーカからの音出力によっての各報知を行なう。
【００３４】
この構成により、帳票読取装置の利用者は、ＩＣチップが検出されたことをスピーカからの音で知ることができる。音発生部はスピーカに限られず、ブザー、ベルなどの単純なものでもよい。
【００３５】
上記の帳票読取装置は、帳票を撮影して画像データを取得するための光学読取部と、帳票の読取処理を開始するよう指示するための開始キーとを更に備え、制御部は、開始キーにて読取処理の開始が指示されたのに応じて、光学読取部に、帳票の画像データを生成させるとともに、ＩＣ通信部にＩＣチップ検出処理を行わせる。
【００３６】
この構成により、帳票の画像データとともに、ＩＣチップが実装されている場合にはＩＣチップのデータの読取りを行うことができる。なお、光学読取部による画像データの生成が終了した後に、ＩＣ通信部によるＩＣチップ検出処理が行われてもよいし、これらの処理が同時に行なわれてもよい。
【００３７】
上記の帳票読取装置は、帳票を撮影して画像データを取得するための光学読取部と、帳票の読取処理を開始するよう指示するための開始キーとを更に備え、制御部は、開始キーにて読取処理の開始が指示されたのに応じて、ＩＣ通信部にＩＣチップ検出処理を第１のＩＣチップ検出処理として行わせ、ＩＣ通信部が第１のＩＣチップ検出処理にてＩＣチップを検出した場合には、その後の処理で、ＩＣ通信部にＩＣチップ検出処理を第２のＩＣチップ検出処理として行わせ、ＩＣ通信部が第２のＩＣチップ検出処理にてＩＣチップを検出したときに、報知部にＩＣチップを検出したことを報知させるとともに、ＩＣ通信部にＩＣチップ読取処理を行わせる。ここで、第１のＩＣチップ検出処理においてＩＣチップを検出できなかったと判断するまでの制限時間は、第２のＩＣチップ検出処理においてＩＣチップを検出できなかったと判断するまでの制限時間よりも短い。
【００３８】
この構成により、第１のＩＣチップ検出処理によって、まず帳票にＩＣチップが実装されているか否かを短時間で判断し、ＩＣチップが実装されている帳票に対してのみＩＣチップの実装箇所を特定するための第２のＩＣチップ検出処理を行うので、帳票にＩＣチップが実装されていない可能性が高い場合には、第２のＩＣチップ検出処理を省略できる可能性が高くなり、帳票の審査を短時間で行なうことができる。
【００３９】
上記の帳票読取装置において、帳票は旅券であり、アンテナの電波の届く範囲は、開いた状態の旅券の大きさよりも小さい。
【００４０】
この構成により、旅券を開いた状態で、ＩＣチップ検出処理及びＩＣチップ読取処理を行うことができるので、ＩＣチップが開いた状態の旅券のどちらのページに実装されているかが判らない場合であっても、旅券を開いたままでＩＣチップの読取処理を行うことができ、操作性が向上する。
【００４１】
本発明の実施の形態の帳票読取方法は、帳票が有する情報を読み取る帳票読取方法であって、帳票に実装されたＩＣチップを検出するためのＩＣチップ検出処理を実行するステップと、ＩＣチップ検出処理を実行しているときに、ＩＣチップ検出処理を実行していることを報知するステップと、ＩＣチップ検出処理にてＩＣチップを検出した場合に、ＩＣチップのデータを読み取るためのＩＣチップ読取処理を実行するステップと、ＩＣチップ読取処理を実行しているときに、ＩＣチップ読取処理を実行していることを報知するステップとを含む構成を有する。
【００４２】
この構成により、現在進行中の処理がＩＣチップ検出処理であって、帳票を走査すべきであるか、現在進行中の処理がＩＣチップ読取装置であって、帳票の特定の箇所（ＩＣチップが実装されている箇所）において読取りをすべきであるかを判断できる。
【００４３】
本発明の実施の形態の帳票読取方法は、帳票が有する情報を読み取る帳票読取方法であって、帳票に実装されたＩＣチップを検出するための第１のＩＣチップ検出処理を実行するステップと、第１のＩＣチップ検出処理にてＩＣチップを検出した場合に、ＩＣチップを検出するための第２のＩＣチップ検出処理を実行するステップと、第２のＩＣチップ検出処理を実行しているときに、第２のＩＣチップ検出処理を実行していることを報知するステップと、第２のＩＣチップ検出処理にてＩＣチップを検出した場合に、ＩＣチップのデータを読み取るためのＩＣチップ読取処理を実行するステップと、ＩＣチップ読取処理を実行しているときに、ＩＣチップ読取処理を実行していることを報知するステップとを含む構成を有する。ここで、第１のＩＣチップ検出処理においてＩＣチップを検出できなかったと判断するまでの制限時間は、第２のＩＣチップ検出処理においてＩＣチップを検出できなかったと判断するまでの制限時間よりも短い。
【００４４】
この構成により、現在進行中の処理が第２のＩＣチップ検出処理であって、帳票を走査すべきであるか、現在進行中の処理がＩＣチップ読取装置であって、帳票の特定の箇所（ＩＣチップが実装されている箇所）において読取りをすべきであるかを判断できるとともに、第１のＩＣチップ検出処理によって、まず帳票にＩＣチップが実装されているか否かを短時間で判断するので、ＩＣチップが実装されている帳票に対してのみＩＣチップの実装箇所を特定する第２のＩＣチップ検出処理を行うので、帳票にＩＣチップが実装されていない可能性が高い場合には、第２のＩＣチップ検出処理を省略できる可能性が高くなり、帳票の審査を短時間で行なうことができる。
【００４５】
本発明の実施の形態の帳票審査方法は、帳票読取装置を用いて旅券の審査を行なう帳票審査方法である。帳票読取装置は、旅券が有する情報を読み取る帳票読取装置であって、  旅券の読取処理を開始するよう指示するための開始キーと、電波の届く範囲が、開いた状態の旅券の大きさよりも小さいアンテナをＩＣチップ読取部に有し、旅券に実装されたＩＣチップを検出するためのＩＣチップ検出処理、及びＩＣチップのデータを読み取るためのＩＣチップ読取処理を行うためのＩＣ通信部と、ＩＣ通信部がＩＣチップを検出したことを報知するための報知部と、開始キーにて読取処理の開始が指示されたのに応じて、ＩＣ通信部にＩＣチップ検出処理を行わせ、ＩＣ通信部がＩＣチップ検出処理にてＩＣチップを検出したときに、報知部にＩＣチップを検出したことを報知させるとともに、ＩＣ通信部にＩＣチップ読取処理を行わせる制御部と備えた構成を有する。帳票審査方法は、開始キーを操作して読取処理の開始を指示するステップと、帳票読取装置にてＩＣチップ検出処理が実行されているときに、帳票読取装置のＩＣチップ読取部で、開いた状態の旅券を走査するステップと、報知部によりＩＣチップが検知されたことが報知されて、帳票読取装置にてＩＣチップ読取処理が実行されているときに、帳票読取装置のＩＣチップ読取部を旅券に対して動かないように保持するステップとを含む構成を有する。
【００４６】
この構成により、旅券の審査を行なう審査官は、電波の届く範囲が開いた状態の旅券の大きさよりも小さいアンテナを備えた小型の帳票読取装置によって、開いた状態の旅券を走査し、報知を受けてＩＣチップの実装箇所が判った後に、その実装箇所でＩＣチップのデータの読取りを行なえるので、比較的長い時間が必要とされるＩＣチップのデータの読取りを試みるためにＩＣチップが実装されていない位置で帳票読取装置を固定しておくことがなく、帳票の審査を短時間で行なうことができる。
【００４７】
本発明の実施の形態の帳票審査方法は、帳票読取装置を用いて旅券の審査を行なう帳票審査方法である。帳票読取装置は、旅券が有する情報を読み取る帳票読取装置であって、旅券の読取処理を開始するよう指示するための開始キーと、電波の届く範囲が開いた状態の旅券の大きさよりも小さいアンテナをＩＣチップ読取部に有し、旅券に実装されたＩＣチップを検出するための第１及び第２のＩＣチップ検出処理、及びＩＣチップのデータを読み取るためのＩＣチップ読取処理を行うためのＩＣ通信部と、ＩＣ通信部がＩＣチップを検出したことを報知するための報知部と、開始キーにて読取処理の開始が指示されたのに応じて、ＩＣ通信部に第１のＩＣチップ検出処理を行わせ、第１のチップ検出処理にてＩＣチップを検出した場合に、ＩＣ通信部に第２のＩＣチップ検出処理を行わせ、ＩＣ通信部が第２のＩＣチップ検出処理にてＩＣチップを検出したときに、報知部にＩＣチップを検出したことを報知させるとともに、ＩＣ通信部にＩＣチップ読取処理を行わせる制御部とを備えた構成を有する。帳票審査方法は、開始キーを操作して読取処理の開始を指示するステップと、帳票読取装置にて第１のＩＣチップ検出処理が実行されているときに、帳票読取装置のＩＣチップ読取部を、閉じた状態の旅券に接触させ、又は近接させるステップと、第１のＩＣチップ検出処理にてＩＣチップが検出されて、帳票読取装置にて第２のＩＣチップ検出処理が実行されているときに、帳票読取装置のＩＣチップ読取部で、開いた状態の旅券を走査するステップと、報知部により第２のＩＣチップ検出処理にてＩＣチップが検知されたことが報知されて、帳票読取装置にてＩＣチップ読取処理が実行されているときに、帳票読取装置のＩＣチップ読取部を旅券に対して動かないように保持するステップとを含む構成を有する。
【００４８】
この構成により、旅券の審査を行なう審査官は、電波の届く範囲が開いた状態の旅券の大きさよりも小さいアンテナを備えた小型の帳票読取装置によって、まず、閉じた状態の旅券に対して第１のＩＣチップ検出処理（第２のＩＣチップ検出処理より短時間）によってＩＣチップが実装された旅券であるか否かを判断し、旅券にＩＣチップが実装されている場合に、第２のＩＣチップ検出処理（第１のＩＣチップ検出処理より長時間）によって、開いた状態の旅券を走査してＩＣチップの実装箇所を探るので、ＩＣチップが実装されていない旅券の比率が高い場合に、ＩＣチップの実装箇所を探るための走査（第２のＩＣチップ検出処理）を省略できる場合が多くなり、審査時間を短縮できる。また、第２のＩＣチップ検出処理にてＩＣチップが検出されて、報知を受けてＩＣチップの実装箇所が判った後に、その実装箇所でＩＣチップのデータの読取りを行なえるので、比較的長い時間が必要とされるＩＣチップのデータの読取りを試みるためにＩＣチップが実装されていない位置で帳票読取装置を固定しておくことがなく、帳票の審査を短時間で行なうことができる。
【００４９】
以下、本発明を実施するための形態について、図面を参照しながら説明する。以下の実施の形態では、帳票読取装置として、入出国審査で使用される旅券の読取装置を例示する。なお、本発明の帳票読取装置は、これに限定されるものではなく、各種チケット、身分証、免許証などの読取装置、にも適用できる。
【００５０】
（第１の実施の形態）
まず、本発明の第１の実施の形態の帳票読取装置の全体の構成について説明する。図１は、本発明の第１の実施の形態における帳票読取装置の構成図であり、図２Ａは、本発明の第１の実施の形態における帳票読取装置の操作表示面側から見た外観図であり、図２Ｂは、本発明の第１の実施の形態の帳票読取装置の読取面側から見た外観図である。図２Ａ及び図２Ｂに示すように、本実施の形態の帳票読取装置１は、持ち運びに適したハンディタイプの帳票読取装置であり、旅券の審査を行なう審査官が手に持って使用するよう設計されている。図１を参照すると、帳票読取装置１は、光学読取部１０と、ＩＣ通信部２０と、文字認識部３０と、制御部４０と、表示部５０と、入力部６０と、音発生部７０とを備えている。図３は旅券３２および旅券に設けられたアンテナを含むＩＣチップ３１と帳票読取装置１の相対位置を示す図である。帳票側配置されたアンテナ２１は破線で示している。また、表示パネル５１、開始キー６１、レンズ１２、照明１１、スピーカ７１等は図２Ａ、図２Ｂと同じであるので省略している。また破線の矢印３３は帳票読取装置１を旅券３２に対して相対的に移動させる方向の一つを示したものである。
【００５１】
光学読取部１０は、照明１１（図２Ｂ参照）、光学系、撮像素子、画像処理部等を備えている。光学読取部１０は、撮影を行なうことで、旅券の光学像を読み取って画像データを生成する。光学系のレンズ１２（図２Ｂ参照）は、帳票読取装置１の読取面に設けられている。レンズ１２の画角、光学系の焦点距離、撮像素子の配置とサイズは、帳票読取装置１のレンズ１２と旅券の読取ページとを１０センチメートル程度離して撮影したときに、旅券の１頁全体の範囲の画像データが得られるように設計される。光学読取部１０は、制御部４０から指示を受けることで照明１１を点灯させて、撮像素子による撮影を行なう。
【００５２】
ＩＣ通信部２０は、制御部４０から指示を受けることで、ＩＣチップの検出（ＩＣチップの有無の確認）及びＩＣチップのデータの読取りを行なう。ＩＣ通信部２０は、アンテナ２１を用いて電波を送受信する。ＩＣ通信部２０は、ＩＣチップの検出の際には、ＩＣチップへのポーリングを行い、制限時間内にＩＣチップが検出できた場合は、検出したことを示す検出信号を制御部４０に渡し、制限時間内にＩＣチップを検出できない場合は、検出できなかったことを示す未検出信号を制御部４０に渡す。また、ＩＣ通信部２０は、ＩＣチップのデータ読取り行う際には、ＩＣチップから読み取ったデータを制御部４０に渡す。
【００５３】
文字認識部３０は、光学読取部１０で生成された画像に対して文字認識を行い、文字認識結果を制御部４０に出力する。
【００５４】
表示部５０は、表示パネル５１（図２Ａ参照）を含んで構成される。表示部５０は、制御部４０による制御に基づいて、表示内容を表示する。表示部５０は、ＩＣチップのデータを読み取った場合にその内容を表示するだけでなく、ＩＣ通信部２０の動作状態を表示する。即ち、ＩＣ通信部２０がＩＣチップの検出中である場合には、その旨を文字で表示し、ＩＣ通信部２０がＩＣチップのデータ読み取り中である場合には、その旨を文字で表示する。なお、文字表示に代えて、又は文字表示に加えて、色やマーク等でＩＣ通信部２０の動作状態を表示してもよい。表示部５０は、制御部４０による制御に基づいて、光学読取部１０で生成された画像データを表示してもよく、又はその他の画像や文字を表示してもよい。表示部５０は、本発明の報知部に相当する。
【００５５】
入力部６０は、複数のキーからなる。本実施の形態では、複数のキーには開始キー６１（図２Ａ参照）が含まれる。審査官が開始キー６１を押すと、制御部４０は、この帳票読取装置１による帳票の読取処理を開始する。具体的には、制御部４０は、光学読取部１０に撮影を行なうよう指示する。複数のキーには、さらに、ＩＣ通信部２０によるＩＣチップ検出を開始するためのＩＣチップ検出キー、ＩＣ通信部２０によるＩＣチップのデータ読み取りを開始するためのＩＣチップ読取キー、各種の入力のためのテンキーが含まれていてもよい。但し、本実施の形態では、後述するように、ＩＣ通信部２０によるＩＣチップ検出及びＩＣチップ読み取りは開始キー６１が押された後に、自動的に開始されるので、ＩＣチップ検出キーやＩＣチップ読取キーは必ずしも必要ない。
【００５６】
音発生部７０は、スピーカ７１（図２Ａ）を含んで構成される。音発生部７０は、Ｉ通信部２０がＩＣチップ検出においてＩＣチップを検出したときに、制御部４０の制御に基づいて、音を発生する。多くの場合は電子音が好ましく、ビープ音であってもよいし、単純なブザーであっても良い。「ＩＣチップを検出しました」等の音声であってもよい。音発生部７０もまた、本発明の報知部に相当する。
【００５７】
制御部４０は、帳票読取装置１の全体を制御し、具体的には、上記のように帳票読取装置１を構成する各部を制御する。制御部４０は、ＣＰＵで構成され、所定のプログラムに従って帳票読取装置１を制御する。
【００５８】
図２Ａを参照すると、帳票読取装置１は、操作表示面１０１に、表示部５０の一部である表示パネル５１と、入力部６０の一部である開始キー６１と、音発生部７０の一部であるスピーカ７１を備えている。帳票読取装置１の下側が、審査官が手で帳票読取装置１を保持するためのグリップ部１０３となる。また、図２Ｂを参照すると、帳票読取装置１の読取面１０２には、グリップ部１０３を避けて、上側に光学読取部１０の一部であるレンズ１２と、アンテナ２１が内蔵された部分に対応するＩＣチップ読取部２１０を有する。この結果、審査官側にグリップ部１０３を、審査官から遠い側にＩＣチップ読取部２１０を設けた構成となっている。
【００５９】
次に、上記の帳票読取装置１を用いた帳票審査方法を説明する。図４は、本発明の第１の実施の形態の帳票審査方法のフロー図である。審査官は、帳票読取装置１を手に持った状態で、旅券の審査を行なう。審査官は、まず、旅客から預かった旅券を開く（ステップＳ１１）。次に、審査官は、帳票読取装置１の読取面１０２にあるレンズ１２を旅券の読取領域に向けて、開始キー６１を押す（ステップＳ１２）。開始キー６１が押されるとその信号が制御部４０に伝えられ、制御部４０は、光学読取部１０を制御して、撮影を行わせる（ステップＳ１３）。具体的には、制御部４０は、光学読取部１０の照明１１を点灯させ、撮像素子に撮像を行なわせ、画像処理部に画像データを生成させる。これにより、旅券の読取領域の画像データが生成される。この画像データは、光学読取部１０から制御部４０に出力される。
【００６０】
次に、文字認識部３０は、光学読取部１０で生成された画像データに対して、文字認識を行う（ステップＳ１４）。文字認識部３０は、認識結果を制御部４０に出力する。
【００６１】
続いて、帳票読取装置１はステップＳ１５〜Ｓ２０に示すＩＣチップの検出処理を行なう。なお、ＩＣチップの検出処理は、ステップＳ１２にて開始キー６１が押されたことに応答して、ステップＳ１３の撮影中、撮影前あるいはステップＳ１４の文字認識と並行して行われてもよい。また、ＩＣチップの検出処理は、ステップＳ１３の撮影が終了したことに応答して、ステップＳ１４の文字認識と並行して行われてもよい。
【００６２】
ＩＣチップの検出処理では、まず、制御部４０が表示部５０を制御して、表示パネル５１にＩＣチップ検出中であることを表示させる（ステップＳ１５）。上述のように、本実施の形態の帳票読取装置１のアンテナ２１は小型であって、その電波送受信範囲は、開いた状態の旅券の面積よりも小さい。また、旅券においてＩＣチップが実装されている位置は、国、国連などの発給団体、版などによってことなることから、審査官は、一般的には、開いた状態の旅券のどの部分にＩＣチップが実装されているかは判らない。よって、審査官は、ＩＣチップを検出するためには、帳票読取装置１のＩＣチップ読取部２１０で、開いた状態の旅券を走査して、ＩＣチップの有無ないしは実装箇所を調べなければならない。一方、ＩＣチップが実装されていることが確認された後にＩＣチップのデータを読み取る場合には、一定の時間、帳票読取装置１のＩＣチップ読取部２１０がＩＣチップの実装箇所から離れないように、ＩＣチップ読取部２１０を旅券に対して固定しておく必要がある。
【００６３】
このように、本実施の形態の帳票審査方法では、帳票読取装置１を旅券に対して動かすべき段階（ＩＣチップ検出処理）と、動かすべきではない段階（後述するＩＣチップ読取処理）とがある。そこで、本実施の形態の帳票審査方法では、それぞれの段階を明確に区別できるように、表示部５０を用いて表示を行い、音発生部７０を用いて音声出力を行なう。ステップＳ１５でＩＣチップ検出中であることを表示するのは、審査官に、ＩＣチップ読取部２１０での旅券の走査を促すためである。
【００６４】
なお、ステップＳ１５では、ＩＣチップ検出中であることを示す表示ではなく、帳票読取装置１を旅券に対して移動させてよいことを示す表示、又は旅券を走査するよう指示する表示をしてもよい。また、ステップＳ１５による表示に代えて、又はステップＳ１５による表示に加えて、制御部４０は、音発生部７０を制御して、ＩＣチップ検出中であることを示す音声、又は帳票読取装置１を帳票に対して移動させてはよいことを示す音声、若しくは旅券を走査するよう指示する音声をスピーカ７１から出力させてもよい。
【００６５】
ＩＣチップ検出処理が始まると、ＩＣ通信部２０は、ＩＣチップへのポーリングを行なう（ステップ１６）。そして、審査官は、帳票読取装置１のＩＣチップ読取部２１０で、開いた状態の旅券を走査する。このとき、ＩＣチップ読取部２１０を旅券に接触させてもよいし、旅券に接近させるだけでもよい。そして、帳票読取装置１は、ＩＣチップからの応答があったか否かを判断する（ステップＳ１７）。ＩＣチップからの応答がない場合には（ステップＳ１７にてＮＯ）、タイムアウトしたか、即ちポーリングの開始から所定の制限時間を経過したかを判断する（ステップＳ１８）。まだ制限時間を経過していないときは（ステップＳ１８にてＮＯ）、ステップＳ１６に戻ってポーリングを続ける。ここで言う「走査」とは旅券の上で帳票読取装置１を移動させてＩＣカードからの反応を探る操作を言う。
【００６６】
ステップＳ１７にてＩＣチップからの応答があった場合には（ステップＳ１７にてＹＥＳ）、ＩＣ通信部２０は、その旨ＩＣチップを検出したことを示す検出信号を制御部４０に出力し、制御部４０は、音発生部７０を制御して、ＩＣチップ検出音を出力させる（ステップＳ１９）。ＩＣチップからの応答がないまま、タイムアウトした場合、即ち制限時間を経過した場合には（ステップＳ１８にてＮＯ）、ＩＣチップ検出表示をオフにして（ステップＳ２０）、ステップＳ２４に移行する。
【００６７】
ＩＣが検出されてＩＣチップ検出オンを出力すると（ステップＳ１９）、続いて、制御部４０は、表示部５０を制御して表示パネル５１に、ＩＣチップ検出中の表示に代えてＩＣチップ読取中の表示をさせる（ステップＳ２１）。この表示により、審査官は、ＩＣチップが検出されたその位置から帳票読取装置１のＩＣチップ読取部２１０を動かさないように保持する。なお、上記のステップＳ２１では、ＩＣチップ読取中であることを表示したが、これに代えて、帳票読取装置１を旅券に対して移動させないよう保持することを示す表示をしてもよい。さらに、ステップＳ２１による表示に代えて、又はステップＳ２１による表示に加えて、制御部４０は、音発生部７０を制御して、ＩＣチップ読取中であることを示す音声、又は帳票読取装置を帳票に対して移動させてはならないことを示す音声をスピーカ７１から出力させてもよい。
【００６８】
次に、制御部４０は、ＩＣ通信部２０を制御して、旅券に実装されたＩＣチップから、そこに記憶されているデータを読み取らせる（ステップＳ２２）。ＩＣ通信部２０は、読み取ったデータを制御部４０に出力する。
【００６９】
ＩＣチップに記憶されているデータの読み取りが完了すると、制御部４０は、表示部５０を制御して、表示パネル５１におけるＩＣチップ読取中の表示（帳票保持の表示）をオフする（ステップＳ２３）。このＩＣチップ読み取り中の表示のオフにより、審査官はＩＣチップの読取りが完了したことを知り、帳票読取装置１を旅券から離すことができる。
【００７０】
その後、制御部４０は、表示部５０を制御して、ＩＣ通信部２０がＩＣチップから読み取ったデータのうちの必要な情報を読み取り結果として、表示パネル５１に表示させる（ステップＳ２４）。このとき、制御部４０は、必要に応じて、光学読取部１０が生成した画像データや文字認識部３０が認識した文字情報も表示パネル５１に表示させるよう表示部５０を制御してもよい。
【００７１】
審査官は、表示パネル５１に表示されたデータと、旅券に印字された情報及び旅客本人とを目視で照合する（ステップＳ２５）。例えば、旅券の印字部分を偽造した場合には、ＩＣチップから読み取った情報と旅券に印字された情報とが整合せずエラーとなるため、それが偽造の旅券であることがわかる。
【００７２】
このように、本実施の形態の帳票審査方法では、電波の届く範囲が旅券を開いたときの面積よりも狭い帳票読取装置１を用いて、まず審査官に旅券を走査することでＩＣチップの自走箇所を探させる。そして、ＩＣチップが検出されたら、帳票読取装置１は、検出音を出力して、帳票読取装置１を保持するよう表示を行なう。これにより、審査官は、ＩＣチップが審査された箇所で帳票読取装置１を保持して、ＩＣチップのデータの読取りを行なう。このように、本実施の形態の帳票読取装置１及びそれを用いた帳票審査方法によれば、ＩＣチップが、開いた状態の旅券のどちら側に実装されているかが判らない場合であっても、旅券を開いたままの状態で、ＩＣチップのデータの読取りを行なうことができる。しかも、本実施の形態の帳票読取装置１及びそれを用いた帳票審査方法によれば、ＩＣチップのデータ読み取りの時間はＩＣチップの検出に要する時間に比べて非常に長いが、ＩＣチップが実装されていない箇所でＩＣチップのデータの読取りを試みて、長時間無駄に帳票読取装置１を保持することがなく、帳票の読取り時間を短縮することにより帳票の審査に要する時間を短縮できる。
【００７３】
（第２の実施の形態）
次に、本発明の第２の実施の形態について説明する。第２の実施の形態の帳票読取装置２の構成は第１の実施の形態と同じであり、図１に示すとおりである。但し、帳票読取装置２を構成する各部の動作は若干異なるので、以下、この帳票読取装置２を用いた帳票審査方法の説明の中で、各部の動作を説明する。
【００７４】
本実施の形態は、審査の対象となる旅券にＩＣチップが実装されている比率が少なく、殆どの旅券にＩＣチップが実装されていない場合に有効な帳票審査方法である。第１の実施の形態の帳票審査方法では、旅券を開いた状態で、帳票読取装置１のＩＣチップ読取部２１０を用いて旅券を走査してＩＣチップを検出したが、本実施の形態では、旅券を開く前に、旅券が閉じた状態で、旅券を操作してＩＣチップを検出する。
【００７５】
図５は、本発明の第２の実施の形態の帳票審査方法のフロー図である。審査官は、まず、旅客から預かった旅券を開けることなく、閉じた状態の旅券に帳票読取装置２のＩＣチップ読取部２１０を接触させ、又は近接させる。審査官は、閉じた状態の旅券に帳票読取装置２のＩＣチップ読取部２１０を接触させ、又は近接させた状態で、開始キー６２を押す（ステップＳ３１）。これにより、第１のＩＣチップ検出処理（ステップＳ３２〜ステップＳ３５）が開始される。
【００７６】
第１のＩＣチップ検出処理が開始されると、ＩＣ通信部２０は、ポーリングを行い（ステップＳ３２）、ＩＣチップからの応答があるかを判断する（ステップＳ３３）。ＩＣチップからの応答があった場合には（ステップＳ３３でＹＥＳ）、ＩＣ通信部２０は、検出信号を制御部４０に出力し、制御部４０は、ＩＣチップを検出したことを審査官に報知するために、音発生部７０を制御してスピーカ７１からＩＣチップ検出音を出力させる（ステップＳ３４）。そして、ＩＣチップ有りのステータスをＯＮにして（ステップＳ３５）、第１のＩＣチップ検出処理を終了する。なお、ＩＣチップからの応答がない場合には（ステップＳ３３にてＮＯ）、ＩＣチップ有りのステータスをＯＮにすることなく、第１のＩＣチップ検出処理を終了する。
【００７７】
なお、本実施の形態では、ＩＣ通信部２０のアンテナ２１における電波の届く範囲は、閉じた状態の旅券の大きさと同程度であるので、旅券を閉じた状態でＩＣチップの検出を行なう第１のＩＣチップ検出処理では、旅券を走査する必要はない。しかし、仮にアンテナ２１の電波の届く範囲がより狭く、第１のＩＣチップ検出処理においても、閉じた状態の旅券を走査する必要がある場合には、審査官は走査を行い、ＩＣ通信部２０も所定の制限時間の間ＩＣチップからの応答がないかを待ち、制限時間が過ぎてもＩＣチップからの応答がない場合に、ＩＣチップ有りのステータスをＯＮにしないで第１のＩＣチップ検出処理を終了するようにしてよい。
【００７８】
第１のＩＣチップ検出処理が終了すると、審査官は、旅券を開いて（ステップＳ３６）、読取領域の画像データを生成し（ステップＳ３７）、画像データに対して文字認識を行う（ステップＳ３８）。ステップＳ３７及びステップＳ３８の処理は、それぞれ第１の実施の形態のステップＳ１３及びステップＳ１４の処理と同様である。
【００７９】
次に、制御部４０は、ＩＣチップ有りのステータスを確認する（ステップＳ３９）。ＩＣチップ有りのステータスがＯＮである場合、即ち、第１のＩＣチップ検出処理でＩＣチップが検出されていた場合は（ステップＳ３９でＹＥＳ）、第２のＩＣチップ検出処理（ステップＳ４０〜ステップＳ４５）を行なう。第２のＩＣチップ検出処理におけるステップＳ４０〜ステップＳ４５の各ステップは、それぞれ第１の実施の形態のＩＣチップ検出処理（ステップＳ１５〜Ｓ２０）の各ステップと同じである。また、その後のＩＣチップ読取処理、読取結果の表示の処理、目視での照合（ステップＳ４６〜ステップＳ５０）の各ステップは、それぞれ第１の実施の形態の対応する処理（ステップＳ２１〜ステップＳ２５）と同じである。
【００８０】
なお、ステップＳ３９にて、ＩＣチップ有りのステータスがＯＮでなかった場合は（ステップＳ３９にてＮＯ）、第２のＩＣチップ検出処理やＩＣチップの読取処理を行わずに、文字認識部３０にて認識された文字情報を読み取り結果として表示パネル５１に表示する（ステップＳ４９）。
【００８１】
このように、本実施の形態では、開いた状態の旅券に対する走査を要するＩＣチップ検出処理（第２のＩＣチップ検出処理）の前に、旅券を閉じた状態でＩＣチップを検出する（第１のＩＣチップ検出処理）。この第１のＩＣチップ検出処理における検出対象範囲は第２のＩＣチップ検出処理における検出対象範囲よりも狭いので、第１のＩＣチップ検出処理では、旅券を走査する必要がなく、又は走査する必要がある場合にもその捜査範囲は第２のＩＣチップ検出処理よりも狭い。よって、第１のＩＣチップ検出処理は、第２のＩＣチップ検出処理よりも短時間で行なうことができる。ＩＣチップが実装されていない旅券が多い状況では、この第１のＩＣチップ検出処理でＩＣチップが実装されていないと判断され、それ以後の旅券の走査を要する第２のＩＣチップ検出処理はスキップでき、帳票の審査に要する時間を短縮できる。
【００８２】
なお、上記の第１の実施の形態のＩＣチップ検出処理及び第２の実施の形態の第２のＩＣチップ検出処理の最中に、表示パネル５１にてＩＣチップ検出中の表示を行い、ＩＣチップを検出したときにスピーカ７１からＩＣチップ検出音を出力し、ＩＣチップ読取処理の最中に表示パネルにてＩＣチップ読取中の表示を行なうことにより、報知を行なったが、報知の方法はこれに限られない。第１の実施の形態のＩＣチップ検出処理及び第２の実施の形態の第２のＩＣチップ検出処理では帳票読取装置で、開いた状態の旅券を走査すべきであり、ＩＣチップ読取処理では、逆に帳票読取装置を旅券に対して動かないように保持すべきであるが、少なくともそれらの処理の切り替わりが判ればよいという観点からは、ＩＣチップ検出中やＩＣチップ読取中には報知は行なわずに、ＩＣチップ検出処理にてＩＣチップが検出されてＩＣチップ読取処理に切り替わるときに、その切り替わりのみを報知するようにしてもよい。また、ＩＣチップ検出中及びＩＣチップ読取中の報知のみを行い、それらの切り替わりを別に報知しないようにしてもよい。
【００８３】
さらに、ＩＣチップ検出中及びＩＣチップ読取中の報知及び両処理の切り替わりの報知は、それぞれ、表示パネルによる表示、スピーカからの音声出力の何れであってもよい。例えば、ＩＣチップ検出処理の最中に、音声によって「ＩＣチップ検出中です。旅券を走査してください。」という音声を繰り返し出力してもよく、ＩＣチップ読取処理の最中に、音声によって「ＩＣチップ読取中です。そのままの位置でお待ちください。」という音声を繰り返し出力してよく、ＩＣチップ検出処理からＩＣチップ読取処理に切り替わる際に、表示パネル全体を点滅させる等によって切り替わりを報知してもよい。さらに、報知の方法は、表示や音声出力に限られず、例えば無線、有線等で外部に報知したり、イヤフォーンに出力したり、バイブレータを利用して振動によって報知してもよい。
【００８４】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【００８５】
以上のように、本発明は、帳票読取装置自体を小型化できるとともに、帳票の読取り又は審査を短時間で行なうことができ、持ち運びに適した小型の帳票読取装置及びその帳票読取装置にて行なう帳票読取方法、並びにその帳票読取装置を用いた帳票審査方法等として有用である。
【符号の説明】
【００８６】
１  帳票読取装置
１０１  操作表示面
１０２  読取面
１０３  グリップ部
１０  光学読取部
１１  照明
１２  レンズ
２０  ＩＣ通信部
２１  アンテナ
２１０  ＩＣチップ読取部
３０  文字認識部
３１  ＩＣチップ
３２  旅券
４０  制御部
５０  表示部
５１  表示パネル
６０  入力部
６１  開始キー
７０  音発生部
７１  スピーカ
【図１】
2012104016.tif 000003
【図２Ａ】
2012104016.tif 000004
【図２Ｂ】
2012104016.tif 000005
【図３】
2012104016.tif 000006
【図４】
2012104016.tif 000007
【図５】
2012104016.tif 000008